(57)【要約】【課題】  開封の有無の確認が容易な基板ケース及びそれを用いた遊技機並びに基板ケース再封印方法を提供する。【解決手段】  基板ケース２００を開封してプリント回路板２０１を検査、部品交換等の処理後、ベース２０２に蓋部２０３を固定手段２０４〜２０７で固定し、ベース２０２もしくは蓋部２０３から他の被覆手段２１０、２１１を切り離し、切り離した他の被覆手段２１０、２１１で未被覆の凹部２２２、２２３を被覆することにより再封印され、他の被覆手段２１０、２１１が切り離された痕跡が残るので基板ケース２００の開封及び再封印の有無を容易に確認することができる。【選択図】  図１
2006102359.tif 000002
【特許請求の範囲】
【請求項１】
遊技機へ搭載するプリント回路板を封印する基板ケースであって、
前記プリント回路板が固定されたベースと、
前記ベースを前記プリント回路板ごと覆う蓋部と、
前記蓋部に設けられベースに前記蓋部を固定する複数の固定手段と、
前記複数の固定手段のうちの一部の固定手段を覆うことで前記プリント回路板を封印すると共に破壊することで開封可能な材質からなる被覆手段と、
前記ベースもしくは前記蓋部に切り離し可能に接続され残りの固定手段を覆うことで再封印が可能な他の被覆手段とを備えたことを特徴とする基板ケース。
【請求項２】
遊技機へ搭載するプリント回路板を封印する基板ケースであって、
前記プリント回路板が固定されたベースと、
前記前記ベースを前記プリント回路板ごと覆う蓋部と、
前記蓋部に形成され底部にネジ穴を有する複数の凹部と、
前記凹部のネジ穴を介して前記ベースに前記蓋部を固定する複数のネジと、
前記複数の凹部のうちの一部の凹部を覆うことで前記プリント回路板を封印すると共に破壊することで開封可能な材質からなる被覆キャップと、
残りの凹部を覆うことで再封印が可能な他の被覆キャップと、
前記他の被覆キャップと、前記ベースもしくは前記蓋部とを切り離し可能に接続する接続手段とを備えたことを特徴とする基板ケース。
【請求項３】
前記被覆キャップは、
前記凹部に挿入可能な筒部と、
前記筒部を覆い破壊可能な被覆部と、
前記筒部の側面に形成され、前記凹部への挿入時に前記凹部の側壁に形成された穴と嵌合する爪部とを備えたことを特徴とする請求項２記載の基板ケース。
【請求項４】
前記爪部は、
前記プリント回路基板のロット番号に応じて位置もしくは数が異なることを特徴とする請求項３記載の基板ケース。
【請求項５】
前記凹部のうち前記被覆キャップで被覆される凹部の形状と開封後再封印される際に前記他の被覆キャップで被覆される凹部の形状とが異なることを特徴とする請求項２から４のいずれか１項記載の基板ケース。
【請求項６】
前記凹部のうち前記凹部を覆う被覆キャップの色と開封後再封印される際に他の凹部を覆う前記他の被覆キャップの色とが異なることを特徴とする請求項２から５のいずれか１項記載の基板ケース。
【請求項７】
請求項１から６のいずれか１項記載の基板ケースを用いたことを特徴とする遊技機。
【請求項８】
遊技機へ搭載時するプリント回路板が封印された基板ケースを開封した後再度封印する基板ケース再封印方法であって、
開封後に、前記プリント回路板が固定されたベースを前記プリント回路板ごと蓋部で覆い、前記ベースに前記蓋部を複数の固定手段で固定し、
前記ベースもしくは前記蓋部に切り離し可能に接続された他の被覆手段を切り離し、
その切り離した他の被覆手段で前記複数の固定手段のうちの未封印の固定手段を覆うことで前記プリント回路板を再度封印することを特徴とする基板ケース再封印方法。
【発明の詳細な説明】
【技術分野】
【０００１】
本発明は、遊技機へ搭載するプリント回路板を封印する基板ケース及びそれを用いた遊技機並びに基板ケース再封印方法に関する。
【背景技術】
【０００２】
図５は遊技機としてのスロットマシンの正面図である。
同図に示すスロットマシン１００は、筐体１０２の前面に開閉自在に設けられたフロントドア１０１に上部パネル部１０３と、中部パネル部１０４と、下部パネル部１０５とを有する。
【０００３】
上部パネル部１０３は、演出用ランプ１０３ａ〜１０３ｃと、スピーカが取り付けられた放音部１０３ｄ、１０３ｅと、液晶ディスプレイ等で形成され、所定の演出を行うための画像表示手段１０３ｆとを有する。
【０００４】
中部パネル部１０４は、表示手段ＷＤと、演出用ランプ１０４ａ、１０４ｂとが設けられている。筐体１０２内に設けられている回胴リール装置２００のリールＲ１、Ｒ２、Ｒ３は遊技者が表示手段ＷＤを介して見ることが可能となっている。
中部パネル部１０４の下端には、遊技者が操作するための操作部１０４ｃが設けられ、操作部１０４ｃには、メダル投入口ＭＤと、１ゲーム当たりのメダル数を提示するためのベットスイッチＢ１、Ｂ２、Ｂ３と、１ゲームの開始を指示するためのスタートレバースイッチＳＴと、回転中のリールＲ１、Ｒ２、Ｒ３を個別に停止させるためのストップスイッチＳＰ１、ＳＰ２、ＳＰ３とが設けられている。
【０００５】
下部パネル部１０５は、本スロットマシン１００のゲーム内容を紹介等するためのイラスト等（図示略）が描かれた下部パネル１０５ａと、遊技者の獲得した枚数の遊技メダルを払い出すための排出口１０５ｂ及び受皿１０５ｃと、スピーカが取り付けられた放音部１０５ｄとが取り付けられている。
【０００６】
次に、図６を参照して、フロントドア１０１の裏面構造と、筐体１０２の内部構造とを概説する。図６は図５に示したスロットマシンのフロントドアを開けた状態を示す図である。
図６において、フロントドア１０１の裏面上部に上述の放音部１０３ｂ、１０３ｃを構成するスピーカＳＲ、ＳＬが設けられ、スピーカＳＲ、ＳＬの間に演出表示手段１０３ｆが設けられている。
【０００７】
更に演出表示手段１０３ｄの裏面側には、電気回路基板で形成されたサブ制御基板１２６が取り付けられている。
【０００８】
１２０は、長尺状の電気回路基板で形成された中央表示基板であり、ＰＷＵは主電源装置であり、１２１は表示手段ＷＤに対向するリールＲ１、Ｒ２、Ｒ３とこれらリールＲ１、Ｒ２、Ｒ３を回転駆動するモータ（図示略）とを備えた回胴リール装置である。
【０００９】
主電源装置ＰＷＵには電源装置基板１２２が取り付けられ、回胴リール装置１２１の上端には回胴装置基板１２４が取り付けられ、回胴リール装置１２１の上方には主制御基板１２５が取り付けられている。
【００１０】
中央表示基板１２０、電源装置基板１２２、回胴装置基板１２４、主制御基板１２５及びサブ制御基板１２６は、導電性配線パターンの形成された絶縁性樹脂基板上に集積回路装置（ＩＣ）やトランジスタ、抵抗、コンデンサ等の電子部品が搭載されて配線接続されたプリント回路板（いわゆる電気回路基板）として形成されている。
【００１１】
ただし、主制御基板１２５とサブ制御基板１２６とは、夫々硬質透明のプラスチックからなる基板ケース内に個別に収納されたユニット構造となっている。
【００１２】
主制御基板１２５は、本スロットマシン１００の動作を統括管理するために設けられ、主制御基板１２５を中心として中央表示基板１２０、電源装置基板１２２、回胴装置基板１２４及びサブ制御基板１２６が配線接続されている。
【００１３】
ここで、主制御基板１２５及びサブ制御基板１２６には、半導体メモリＲＯＭと、マイクロプロセッサＭＰＵとが搭載されており、マイクロプロセッサＭＰＵが、半導体メモリＲＯＭに予め記憶されているシステムプログラムとスロットマシンゲーム用のプログラムを実行し、各基板１２２、１２４、１２６、１２７を制御することによって、本スロットマシン１００の動作状況とゲームの進行とを統括管理している。
【００１４】
ここで、主制御基板１２５及びサブ制御基板１２６は、スロットマシン１００のゲームに関連する演出を行うため、内蔵するＲＯＭを交換することで演出を変更することが可能である。
このため、遊技場でスロットマシン１００のフロントドア１０１を何らかの手段を用いて開けた後、主制御基板１２５やサブ制御基板１２６内のＲＯＭを予め準備した他のＲＯＭと交換し、遊技メダルを払い出させる不正行為が行われることがあった。
そこで、このような不正行為対策として主制御基板１２５やサブ制御基板１２６を覆うと共に封印可能な「遊技機の制御基板収納ケース」が開示されている。
これは、緊締方向へのみ螺回操作可能な操作頭部を備えてなる締結螺子を用いて一対のボス部とフランジ部とを締結することによって、制御基板基板収納ケースの封印を行い、封印部分を破壊しなければ開放できないようにしたから痕跡を残さずに制御基板収納ケースの開放を行うことができず、これにより、制御基板収納ケースの開放による不正行為を防止するものである（例えば、特許文献１参照）。
【特許文献１】特許第３２６１０８４号公報
【発明の開示】
【発明が解決しようとする課題】
【００１５】
しかしながら、特許文献１記載の技術では検査等でやむを得ず制御基板収納ケースを開封する場合には、封印部分を破壊しなければならないが、ボス部には切り離された係止片が締結螺子によって締結されたままの状態で残留するので開封の痕跡は一応残されるもののリブ片そのものも残留しており、一見すると痕跡を見落としやすいので、開封の有無の確認が容易ではなかったという課題があった。
そこで、本発明は上記課題を解決し、開封の有無の確認が容易な基板ケース及びそれを用いた遊技機並びに基板ケース再封印方法を提供することを目的とする。
【課題を解決するための手段】
【００１６】
上記課題を解決するため、請求項１記載の発明は、遊技機へ搭載するプリント回路板を封印する基板ケースであって、前記プリント回路板が固定されたベースと、前記ベースを前記プリント回路板ごと覆う蓋部と、前記蓋部に設けられベースに前記蓋部を固定する複数の固定手段と、前記複数の固定手段のうちの一部の固定手段を覆うことで前記プリント回路板を封印すると共に破壊することで開封可能な材質からなる被覆手段と、前記ベースもしくは前記蓋部に切り離し可能に接続され残りの固定手段を覆うことで再封印が可能な他の被覆手段とを備えたことを特徴とする。
【００１７】
請求項２記載の発明は、遊技機へ搭載するプリント回路板を封印する基板ケースであって、前記プリント回路板が固定されたベースと、前記前記ベースを前記プリント回路板ごと覆う蓋部と、前記蓋部に形成され底部にネジ穴を有する複数の凹部と、前記凹部のネジ穴を介して前記ベースに前記蓋部を固定する複数のネジと、前記複数の凹部のうちの一部の凹部を覆うことで前記プリント回路板を封印すると共に破壊することで開封可能な材質からなる被覆キャップと、残りの凹部を覆うことで再封印が可能な他の被覆キャップと、前記他の被覆キャップと、前記ベースもしくは前記蓋部とを切り離し可能に接続する接続手段とを備えたことを特徴とする。
【００１８】
請求項３記載の発明は、請求項２記載の発明において、前記被覆キャップは、前記凹部に挿入可能な筒部と、前記筒部を覆い破壊可能な被覆部と、前記筒部の側面に形成され、前記凹部への挿入時に前記凹部の側壁に形成された穴と嵌合する爪部とを備えたことを特徴とする。
【００１９】
請求項４記載の発明は、請求項３記載の発明において、前記爪部は、前記プリント回路基板のロット番号に応じて位置もしくは数が異なることを特徴とする。
【００２０】
請求項５記載の発明は、請求項２から４のいずれか１項記載の発明において、前記凹部のうち前記被覆キャップで被覆される凹部の形状と開封後再封印される際に前記他の被覆キャップで被覆される凹部の形状とが異なることを特徴とする。
【００２１】
請求項６記載の発明は、請求項２から５のいずれか１項記載の発明において、前記凹部のうち前記凹部を覆う被覆キャップの色と開封後再封印される際に他の凹部を覆う前記他の被覆キャップの色とが異なることを特徴とする。
【００２２】
請求項７記載の発明は、請求項１から６のいずれか１項記載の基板ケースを用いた遊技機であることを特徴とする。
【００２３】
請求項８記載の発明は、遊技機へ搭載時するプリント回路板が封印された基板ケースを開封した後再度封印する基板ケース再封印方法であって、開封後に、前記プリント回路板が固定されたベースを前記プリント回路板ごと蓋部で覆い、前記ベースに前記蓋部を複数の固定手段で固定し、前記ベースもしくは前記蓋部に切り離し可能に接続された他の被覆手段を切り離し、その切り離した他の被覆手段で前記複数の固定手段のうちの未封印の固定手段を覆うことで前記プリント回路板を再度封印することを特徴とする。
【発明の効果】
【００２４】
本発明によれば、基板ケースを開封してプリント回路板を検査、部品交換等の処理後、ベースに蓋部を固定手段で固定し、ベースもしくは蓋部から他の被覆手段を切り離し、切り離した他の被覆手段で未被覆の凹部を被覆することにより再封印され、他の被覆手段が切り離された痕跡が残るので基板ケースの開封及び再封印の有無を容易に確認することができる。
【発明を実施するための最良の形態】
【００２５】
図１は本発明の基板ケースの外観斜視図である。なお、基板ケース２００は封印後まだ開封していないものとして説明する。
図１に示した基板ケース２００は、主に遊技機としてのスロットマシン１００（図１参照）への搭載時に第三者、例えば警察官の立ち会いが必要なプリント回路板２０１（例えば、主制御基板１２５及びサブ制御基板１２６：図６参照）を封印するケースであって、プリント回路板２０１が固定されたベース２０２と、ベース２０２をプリント回路板２０１ごと覆う有蓋無底の例えば箱形（形状については限定されず、球形でも卵形でも多角形状でも繭型でもよい。）の蓋部２０３と、蓋部２０３に設けられベース２０２に蓋部２０３を固定する複数（図では４本であるが限定されない）の固定手段としてのネジ２０４〜２０７と、複数のネジ２０４〜２０７のうちの一部（対角線上が好ましい）のネジ２０４、２０５を覆うことでプリント回路板２０１を封印すると共に破壊することで開封可能な材質（例えば、プラスチック）からなる被覆手段としての被覆キャップ２０８、２０９と、ベース２０２に切り離し可能に接続され残りのネジ２０６、２０７を覆うことで再封印が可能な他の被覆手段としての被覆キャップ２１０、２１１とで構成されている。
【００２６】
尚、ベース２０２は図では有底無蓋の箱形であるが、板状であってもよい。また、ネジ２０４〜２０７は図では４本であるが、限定されるものではなく、被覆キャップ２０８、２０９で被覆された凹部２２０、２２１内のネジ２０４、２０５の２本のみでもよい。さらに、図では被覆キャップ２０８、２０９はベース２０２に切り離し可能に接続されているが、蓋部２０３に切り離し可能に接続されていてもよい。
ベース２０７は着色されたプラスチックからなっており（無色透明でもよい）、蓋部２０３は無色透明もしくは有色透明なプラスチックからなっている。
蓋部２０３には複数（図では４つであるが限定されない）の凹部２２０〜２２３が形成されており、各凹部２２０〜２２３の底部にはそれぞれネジ２０４〜２０７の胴部が貫通可能な穴が形成されている。ネジ２２０〜２２３を各穴に通してベース２０２側に形成されたネジ穴に螺合することでプリント回路板２０１ごとベース２０２を蓋部２０３で覆うようになっている。
【００２７】
凹部２２０〜２２３のうち対角線上の一対の凹部２２０、２２１の平面形状は円形となっており、残りの対角線上の一対の凹部２２２、２２３の平面形状はほぼ正方形となっている。これは例えば、工場出荷用の被覆キャップ２０８、２０９と、再封印用の被覆キャップ２１０、２１１とを区別することにより、開封し、ＲＯＭを交換した後他のベースから取ってきた被覆キャップで再封印するという不正行為を防止するためである。
２３０〜２３３は、他の被覆キャップ２１０、２１１と、ベース２０２（もしくは蓋部２０３）とを切り離し可能に接続する接続手段としてのランナー（ライナーともいう）であり、ニッパー等で切断可能となっている。
【００２８】
図２は図１に示した他の被覆手段としての被覆キャップの外観斜視図である。
図２に示す被覆キャップ２１０は、凹部２２３（図１参照）に挿入可能な筒部２５０と、筒部２５０の一方（図では上側）を覆いドライバー等で押圧することで破壊可能な被覆部２５１と、筒部２５０の側面２５０ａ、２５０ｂに形成され、凹部２２３への挿入時に凹部２２３の側壁に形成された穴と嵌合することによりロックする複数（図では２つであるが限定されず、スロットマシン１００の機種に応じた数や位置に対応するのが好ましい）の爪部２５２、２５３とを備えている。
被覆部２５１は破壊しやすいように中央部２５１ａが筒部２５０より肉薄であり、貫通穴２５４が形成されている。
筒部２５０の断面形状は一つの角部が斜めに角が落とされた五角形状となっている。これは凹部２２３への挿入時における爪２５２、２５３の位置の誤認防止のためであり、他から入手した被覆キャップを流用することによる不正手段防止のためでもある。被覆部２５１の平面形状は筒部２５０の平面形状より若干大きな形状となっている。これは被覆キャップ２１０で凹部２２３を被覆（挿入）して再封印した後で、例えばドライバーの先端を被覆キャップ２１０と凹部２２３（図１参照）との間の隙間に差し込んで爪２５２、２５３を押さえてロックを不正に解除するのを防止するためである。
従って被覆部２５１の大きさは凹部２２３（図１参照）への挿入時に凹部２２３（図１参照）と筒部２５０との間の隙間が隠れる程度であればよい。尚、被覆キャップ２１１も同様の構造となっている。
【００２９】
次に本発明の基板ケース再封印方法について説明する。
図３（ａ）〜（ｅ）は本発明の基板ケース再封印方法の概念図である。図４（ａ）〜（ｄ）は再封印を行う際の基板ケースのネジ穴部近傍の断面図である。
本発明の基板ケース再封印方法は、主に遊技機１００（図１参照）への搭載時に第三者（例えば、警察官）の立ち会いが必要なプリント回路板２０１が封印された基板ケースを開封した後再度封印する基板ケース再封印方法であって、開封後に、プリント回路板２０１が固定されたベース２０２をプリント回路板２０１ごと箱形の蓋部２０３で覆い、ベース２０２に蓋部２０３を複数の固定手段としてのネジ２０４〜２０７で固定し、ベース２０２（もしくは蓋部２０３）にランナー２３０〜２３３で切り離し可能に接続された他の被覆手段としての被覆キャップ２１０、２１１を切り離し、その切り離した被覆キャップ２０１、２１１で複数のネジ２０４〜２０７のうちの未被覆の凹部２２２、２２３を被覆することでプリント回路板２０１を再度封印することを特徴とするものである。
具体的にはまず、不正行為があったのではないかと疑われた検査対象としての基板ケース２００を準備する（図３（ａ））。
【００３０】
ドライバー３００等の先端が尖った部材で被覆キャップ２０８、２０９を押圧して破壊し、そのドライバー３００でネジ２０４〜２０７を回して蓋部２０３から取り出す。これは、例えば、プリント回路板２０１を内蔵した基板ケース２００は、工場出荷時に凹部２２０、２２１に被覆キャップ２１０、２１１とほぼ同一構造（四角平面形状を円形断面形状としただけである）の被覆キャップ２０８、２０９で被覆（封印）されており、凹部２２０、２２１内でロックされているためである。
蓋部２０３からネジ２０４〜２０７を取り出した後、プリント回路板２０１のＲＯＭが不正に交換されていないか否か等の検査（例えば、サムチェックＳＭＣ）を行う。ＲＯＭが不正に交換されている場合には不正なＲＯＭを適切なＲＯＭに交換する等所定の処理を行う。（図３（ｂ））。
ニッパー等３０１でランナー２３０〜２３３を切り、ベース２０２から他の被覆キャップ２１０、２１１を切り離す（図３（ｃ））。
プリント回路板２０１の検査等の処理後、蓋部２０３でベース２０２を覆い（図４（ａ））、ネジ２０４〜２０７を凹部２２０〜２２３の穴に通してベース２０２のネジ穴２５０〜２５３に螺合させて固定し（図４（ｂ））、まだ被覆キャップ２１０が被覆されていない未被覆の凹部２２２を被覆キャップ２１０で被覆する。被覆キャップ２１０で凹部２２２を被覆すべく挿入すると爪部２５３が蓋部２０３の凹部２２２の側壁の穴２２２ａに差し込まれ、被覆キャップ２１０を引き抜こうとしても爪部２５３が穴２２２ａに引っかかるので引き抜くことができなくなりロックされる（図３（ｄ）、図４（ｃ））。同様に被覆キャップ２１１も蓋部２０３の凹部２２３に挿入することで引き抜くことができなくなりロックされる。このようにして凹部２２２に被覆キャップ２１０を挿入することで再封印が終了する。尚、２回目の開封後の再々封印の際には残りの被覆キャップ２１１をベース２０２から切り離して再々封印を行うことができる（図４（ｄ））。
【００３１】
再封印後（再々封印後）はベース２０２からは被覆キャップ２１０（２１１）が切り離されており、ランナー２３０、２３１（２３２、２３３）が切り取られた痕跡があるので、一見して再封印（再々封印）が行われたことを確認することができる。また、他のベースから切り取った被覆キャップがランナー２３０〜２３３に接着剤等で接着されていたとしても切り取り後の変色や接着剤の色等で表面状態の不自然さから不正行為が有ったことが確認できる。従って本実施の形態により不正開封や不正封印の防止が行われ、開封の有無の確認が容易となる（図３（ｅ））。
尚、本実施の形態において、他の被覆キャップ２１０、２１１の数が２つの場合で説明したが、本発明はこれに限定されるものではなく、３つ以上であってもよい。但しこの場合は凹部が蓋部２０３の中央に形成される場合を含み、蓋部２０３の周辺に凹部が形成される場合には対角線上にネジが螺合されるのが好ましい。
【産業上の利用可能性】
【００３２】
本発明は、スロットマシンの他、パチンコ、スマートボール等の遊技機に利用可能である。
【図面の簡単な説明】
【００３３】
【図１】本発明の基板ケースの外観斜視図である。
【図２】図１に示した他の被覆手段としての被覆キャップの外観斜視図である。
【図３】（ａ）〜（ｅ）は本発明の基板ケース再封印方法の概念図である。
【図４】（ａ）〜（ｄ）は再封印を行う際の基板ケースのネジ穴部近傍の断面図である。
【図５】遊技機としてのスロットマシンの正面図である。
【図６】図５に示したスロットマシンのフロントドアを開けた状態を示す図である。
【符号の説明】
【００３４】
２００    基板ケース
２０１    プリント回路板
２０２    ベース
２０３    蓋部
２０４〜２０７    固定手段（ネジ）
２０８、２０９    被覆手段（被覆キャップ）
２１０、２１１    他の被覆手段（被覆キャップ）
２２０〜２２３    凹部
２３０〜２３３    ランナー
【図１】
2006102359.tif 000003
【図２】
2006102359.tif 000004
【図３】
2006102359.tif 000005
【図４】
2006102359.tif 000006
【図５】
2006102359.tif 000007
【図６】
2006102359.tif 000008